(57)【特許請求の範囲】
【請求項１】
一枚の矩形の金属板が複数回長手方向に沿って折り曲げ成形されてなるパチンコ機の外枠用縦枠材であって、
前記金属板の短手方向両端部が複数回長手方向に沿って折り曲げられ、一端側縁部と他端側縁部とが重ね合わされ、結合されてなる角筒部と、前記金属板が短手方向の所定の第１位置から長手方向に沿って折り返すことにより成型されてなる２枚重ね部位とからなり、
前記２枚重ね部位には、短手方向の端部から所定の間隔を有して長手方向に沿った第１空隙部が少なくとも１つ成形され、この第１空隙部を設けている金属板の底部において、金属板同士が面接触し、かしめ接合されたことを特徴とするパチンコ機の外枠用縦枠材。
【請求項２】
前記２枚重ね部位の短手方向の先端部分に第２空隙部を有するように、前記金属板が前記第１位置から折り返され、この第１位置に前記第２空隙部によって丸く湾曲した突縁が形成されたことを特徴とする請求項１に記載のパチンコ機の外枠用縦枠材。
【請求項３】
略水平方向に延びる上下一対の横枠材と略鉛直方向に延びる左右一対の縦枠材からなり、該縦枠材の長手方向端面を前記横枠材の長手方向端部の内面に当接して、該縦枠材及び前記横枠材が直角に配置して結合され、全体として四角枠状に形成されているパチンコ機の外枠であって、上記縦枠材として請求項１又は請求項２に記載のパチンコ機の外枠用縦枠材を用い、
前記パチンコ機の外枠用縦枠材は、その長手方向の両端部の外面において、所定の開き角度で連なる２つ以上の固定板部で構成された第１結合具のいずれかの固定板部に面接触して固定されるとともに、長手方向端部の内面において、所定の開き角度で連なる２つ以上の固定板部で構成された第２結合具のいずれかの固定板部に面接触して固定されており、
前記横枠材は、前記第１結合具及び前記第２結合具の他の固定板部間に挟まれた状態で前記外枠用縦枠材に対して直角になるように配置され、固定されてなるパチンコ機用外枠。
【発明の詳細な説明】
【技術分野】
【０００１】
本発明は、パチンコ機の外枠用縦枠材及び該縦枠材を用いて成るパチンコ機用外枠に関するものである。
【背景技術】
【０００２】
一般的に、パチンコ機は前枠及び外枠を有し、前枠は遊技盤等が取り付けられ、外枠の縦枠材に前枠の一縁部を中心に回動可能に固定され、外枠に対して開閉できるように構成されている。遊技盤の表側には、各種の入賞口や役物（センター役物）等が設けられ、また、裏側には、制御装置，パチンコ球供給装置等の各種の部品が設けられている。
【０００３】
外枠は、略水平方向に延びる上下一対の横枠材と、略鉛直方向に延びる左右一対の縦枠材とが結合され、全体として四角枠状に形成されている。そして、外枠は、パチンコホールにおいて、「島」と称されるパチンコ機グループを設置するための区画された壁部に取り付けられる。
【０００４】
従来の一般的な外枠は、木材によって形成されていたが、近年、リサイクルや薄肉化により金属が使用されるようになってきた。また最近は、遊技盤に設けられる役物（センター役物）等が大きくなり、それに伴って、遊技盤の裏側に設けられる各種の部品も大きくなってきている。このため、外枠は、所定以上の強度を有する必要がある。外枠を単に金属材料で形成すると、パチンコホールの各区画に対する取付作業が煩雑なものとなるので、外枠は、軽量に形成されている。
【０００５】
例えば、特開２００６−３２６１８０号公報に記載のパチンコ機の外枠は、ほぼ矩形状をなし、遊技盤が取り付けられる前枠がその一縁部を中心に回動可能に取り付けられるパチンコ機の外枠であって、ほぼ水平方向に延びる上下一対の横枠材が木質材料によって形成され、ほぼ鉛直方向に延びる左右一対の縦枠材が、それぞれ２枚の金属板によって中空構造に形成され、これら２枚の金属板をビスによって結合する構成である。
【先行技術文献】
【特許文献】
【０００６】
【特許文献１】特開２００６−３２６１８０号公報
【発明の概要】
【発明が解決しようとする課題】
【０００７】
特許文献１に記載のパチンコ機の外枠は、左右一対の縦枠材のそれぞれが２枚の薄い金属板をビスによって結合して形成されるため、縦枠材の組立て作業が煩雑であるだけでなく、ビスがパチンコ機内に混入するとパチンコ機の電気的故障の原因にもなるのでパチンコ機の外枠用縦枠材の改善が望まれていた。
【０００８】
本発明は、前記課題を解決するもので、薄い金属板を簡易な作業で十分に強度のある縦枠材に組み立てできるようにして、薄い金属板からなる縦枠材の組み立てにおいて、ビスによる結合作業を不要としたものであり、パチンコ機の外枠用縦枠材及び該縦枠材を用いたパチンコ機用外枠を提供することを目的とする。
【課題を解決するための手段】
【０００９】
前記課題を解決するために本発明は、一枚の矩形の金属板が複数回長手方向に沿って折り曲げ成形されてなるパチンコ機の外枠用縦枠材であって、前記金属板の短手方向両端部が複数回長手方向に沿って折り曲げられ、一端側縁部と他端側縁部とが重ね合わされて結合されてなる角筒部と、前記金属板が短手方向の所定の第１位置から長手方向に沿って折り返されることにより成形されてなる２枚重ね部位とからなり、前記２枚重ね部位には、短手方向の端部から所定の間隔を有して長手方向に沿った第１空隙部が少なくとも１つ成形され、この第１空隙部を設けている金属板の底部において、金属板同士が面接触し、かしめ接合されたことを特徴とする。
【００１０】
なお、前記一端側縁部に穴部、他端側縁部に切り起こしによる爪部が設けられ、前記穴部と前記爪部との係合によって結合されるようにしてもよい。
【００１１】
また、前記爪部は、前記他端側縁部の縁端から所定幅の位置において切り込まれた部位が、その先端部が斜めに突出するように折り曲げられて成形された金属片であって、前記爪部が前記穴部に嵌入して前記先端部が前記穴部の内面に当接した状態に維持されて前記爪部と前記穴部との係合がなされるようにしてもよい。
【００１２】
また、前記爪部には、上下に並行した端縁が成形され、前記穴部には、上下に並行した内端縁が形成され、前記爪部が前記穴部に係合すると前記爪部の上下に並行する端縁が前記穴部の上下に並行する内端縁に当接して係合がなされるようにしてもよい。
【００１３】
また、前記金属板の短手方向両端の折り曲げ成形された一端側縁部と他端側縁部は、重なった前記両端側縁部同士がかしめ接合されるようにしてもよい。
【００１４】
本発明は上記のとおり、前記金属板を短手方向の所定の第１位置から長手方向に沿って折り返すことにより２枚重ね部位が成形されてなるものである。
【００１５】
なお、前記２枚重ね部位の短手方向の先端近傍の第２位置で長手方向に沿って折り曲げられることにより突縁が形成されるようにしてもよい。
【００１６】
また、本発明は上記のとおり、前記２枚重ね部位は、短手方向の端部から所定の間隔毎に長手方向に沿った空隙部が少なくとも１つ成形されてなるものである。
【００１７】
本発明の第２の特徴は、上記第１の特徴に加え、前記２枚重ね部位の短手方向の先端部分に第２空隙部を有するように、前記金属板が前記第１位置から折り返され、この第１位置に前記第２空隙部によって丸く湾曲した突縁が形成されたことを特徴とする。
【００１８】
なお、前記２枚重ね部位の第１空隙部と第２空隙部とは、前記長手方向の空隙部と、この長手方向の空隙部から短手方向に延びる複数の空隙部とにより形成される空隙部として成形してもよい。
【００１９】
また、前記２枚重ね部位の第２空隙部と第１空隙部とは、少なくとも１つの金属板の断面が短手方向に連続する矩形の波形が形成されるように、前記長手方向に設けるようにして成形してもよい。
【００２０】
また、前記２枚重ね部位の第１空隙部を設けている金属板の底部において、金属板同士が面接触し、かしめ接合され、または、前記２枚重ね部位は、前記長手方向の複数の第１空隙部が成形され、少なくとも１つの金属板の断面が短手方向に連続する矩形であって、前記金属板の断面矩形の各底部において、金属板同士が面接触しているとともにかしめ接合されるようにしてもよい。
【００２１】
また、前記２枚重ね部位は、前記長手方向の複数の第１空隙部と短手方向の複数の第１空隙部が交差するように成形されるようにしてもよい。
【００２２】
本発明の第３の特徴は、略水平方向に延びる上下一対の横枠材と略鉛直方向に延びる左右一対の縦枠材からなり、該縦枠材の長手方向端面を前記横枠材の長手方向端部の内面に当接して、該縦枠材及び前記横枠材が直角に配置して結合され、全体として四角枠状に形成されているパチンコ機の外枠であって、上記縦枠材として上記いずれかに記載のパチンコ機の外枠用縦枠材を用いたことを特徴とする、パチンコ機用外枠である。
【００２３】
特に、上記パチンコ機用外枠において、前記パチンコ機の外枠用縦枠材は、その長手方向の両端部の外面において、所定の開き角度で連なる２つ以上の固定板部で構成された第１結合具のいずれかの固定板部に面接触して固定されるとともに、長手方向端部の内面において、所定の開き角度で連なる２つ以上の固定板部で構成された第２結合具のいずれかの固定板部に面接触して固定されており、前記横枠材は、前記第１結合具及び前記第２結合具の他の固定板部間に挟まれた状態で前記外枠用縦枠材に対して直角になるように配置され、固定されてなることを特徴とする。
【発明の効果】
【００２４】
本発明のパチンコ機の外枠用縦枠材は、一枚の矩形の金属板が複数回長手方向に沿って折り曲げ成形され、金属板の短手方向両端部が複数回長手方向に沿って折り曲げられ、一端側縁部と他端側縁部とが重ね合わされ、結合されてなる角筒部と、金属板が短手方向の所定の第１位置から長手方向に沿って折り返すことにより成型されてなる２枚重ね部位とからなり、２枚重ね部位には、短手方向の端部から所定の間隔を有して長手方向に沿った第１空隙部が少なくとも１つ成形され、この第１空隙部を設けている金属板の底部において、金属板同士が面接触し、かしめ接合されたものであって、薄い金属板を簡易な作業で十分に強度のある縦枠材に組み立てることができ、薄い金属板からなる縦枠材におけるビスによる結合作業が不要となる。
【００２５】
なお、金属板の短手方向の一端側縁部に穴部、他端側縁部に切り起こしによる爪部を設ければ、両者を係合した場合、爪部の突出する先端部が穴部の内面に当接して開き止めとなり、爪部の上下に並行する端縁が穴部の上下に並行する内端縁に当接して、係合部においてねじれが抑制され、十分な強度を有する。
【００２６】
また、一端側縁部と他端側縁部の結合を２枚の側縁部同士を重ね合わせて機械的に接合してかしめを成形した場合、両者の結合部において、さらに捩れが生じにくくなり強度が増すものである。
【００２７】
また、金属板は、短手方向の途中の所定の第１位置を長手方向に沿って折り曲げて２枚重ね部位が成形され、この２枚重ね部位の短手方向の途中の所定の第２位置で長手方向に沿って折り曲げられて先端近傍に突縁が形成されると、島に設けられている矩形状の取付枠に外枠を取付けた際に、隙間が生じないものとなる。
【００２８】
縦枠材は、２枚重ね部位において、所定方向の第１空隙部を設けているのでこの所定方向に対して撓み変形させないような強度を有する。
【００２９】
縦枠材は、２枚重ね部位において、第１空隙部を設けている金属板の底部において、金属板同士が面接触し、かしめ接合されているのでさらに撓み変形が生じにくくなり強度が増すものである。また、２枚重ね部位の短手方向の先端部分に第２空隙部を有するように、金属板が第１位置から折り返され、この第１位置に第２空隙部によって丸く湾曲した突縁が形成されれば、外枠に取り付けられた前枠が開閉される際に突縁に接触して擦れることがあっても、先端の突縁が丸く湾曲して、バネ性及び円滑性を有しているので、前枠の開閉が容易になる。
【００３０】
所定の開き角度で連なる２つ以上の固定板部で構成された第１結合具及び第２結合具の素材として、合成樹脂、金属或いは合成樹脂及び金属から成る複合材料のいずれであっても用いることができる。第１結合具及び第２結合具を金属板製にする場合、略直角方向に折り曲げ成形された金属板或いは略直角状に連設する２枚の金属板によりこれらの結合具を構成することができる。このような結合具を使用することによって、前記第１結合具及び第２結合具のそれぞれの片側の固定板部が、縦枠材の両端において短手方向に互いに平行に突き出した状態になる。これらの互いに平行に突き出した固定板部間に横枠材を挟んで配置することで、縦枠材に対して横枠材を容易に配置することができる。また、このような結合具を使用することによって、左右上下の４隅において、それぞれの内側と外側とを結合することができるので、左右の縦枠材と上下の横枠材を強固に接合することができる。
【図面の簡単な説明】
【００３１】
【図１】本発明に係るパチンコ機の外枠を示す斜視図である。
【図２】図１における参考例１の縦枠材を示す斜視図である。
【図３】図１のＡ−Ａ断面図である。
【図４】図２の縦枠材の係合前の状態を示す斜視図である。
【図５】参考例２の縦枠材を示す斜視図である。
【図６】図５のＢ−Ｂ断面図である。
【図７】参考例３の縦枠材を示す斜視図である。
【図８】図７の縦枠材の係合時の手順を示す部分拡大断面図である。
【図９】図７の平面図である。
【図１０】実施例１の第１例の縦枠材を示す平面図である。
【図１１】図１０の第１例の縦枠材に短手方向のリブを追加した第２例の縦枠材を示す正面図である。
【図１２】図１１の縦枠材の平面図である。
【図１３】図１１の縦枠材のＣ−Ｃ断面図である。
【図１４】第３例の縦枠材の断面図である。
【図１５】第４例の縦枠材の正面図である。
【図１６】図１５の縦枠材のＤ−Ｄ断面図である。
【図１７】実施例２のパチンコ機用外枠の要部を示す斜視図である。
【図１８】図１７において横枠材と結合した状態の斜視図である。
【図１９】図１８におけるパチンコ機用外枠を示す斜視図である。
【発明を実施するための最良の形態】
【００３２】
以下、実施例等を示す図面に基づいて本発明を詳細に説明する。
【００３３】
図１は本発明に係るパチンコ機の外枠を示す斜視図、図２は図１における参考例１の縦枠材を示す斜視図、図３は、図１のＡ−Ａ断面図、図４は、図２の縦枠材の係合前の状態を示す斜視図、図５は、参考例２の縦枠材を示す斜視図、図６は、図５のＢ−Ｂ断面図である。
【００３４】
（参考例１）
図１〜図４において、パチンコ機の外枠１は、略水平方向に延びる上下一対の横枠材２ａ，２ｂと、略鉛直方向に延びる左右一対の縦枠材３とから構成された四角の枠体であって４隅に対応して、略直角に折り曲げられた金属板から成る第１結合具７が使用されている。略水平方向に延びる上下一対の横枠材２ａ，２ｂは木質材料で形成されている。また、下方の横枠材２ｂは、前板部材４によって支持されている。また、一方の縦枠材３には、上下に一対の被係止部材５が設けられている。被係止部材５は、ビス孔５ｃが形成された板状の被取付部５ａ及び被係止部５ｂを有しており、図示しない前枠が閉位置に位置する状態において、前枠に設けられた係止部材が被係止部５ｂに係止することによって、前枠を閉位置に維持するものである。
【００３５】
縦枠材３は、一端側縁部１２ａが１枚の矩形の金属板１０を短手方向の一端１１ａから第１の所定幅Ｌ１の位置で外面が山折りとなるように長手方向に沿って略直角に折り曲げられて成形されている。一端側縁部１２ａは、パチンコ機の外枠１において奧側に位置するようになる。一端側縁部１２ａには、長手方向に間隔を設けて複数（図では５個）の長方形の穴部１３が設けられている。
【００３６】
金属板１０において、一端側縁部１２ａと隣接して短手方向に略直角に延長する部位は内側側部１２ｂであり、一端側縁部１２ａとの折り目１４ａの位置から第２の所定幅Ｌ２の位置で外面が山折りとなるように長手方向に沿って略直角に折り曲げられて成形されている。内側側部１２ｂは、パチンコ機の外枠１において奧部、かつ内側に位置するようになる。
【００３７】
また、内側側部１２ｂと隣接して短手方向に略直角に延長する部位は中間部１２ｃであり、内側側部１２ｂとの折り目１４ｂの位置から第３の所定幅Ｌ３の位置で谷折りとなるように略直角に折り曲げられて一端側縁部１２ａと並行に成形されている。また、中間部１２ｃと隣接して短手方向に略直角に延長する部位は、中間部１２ｃとの折り目１４ｃの位置から第４の所定幅Ｌ４の位置１４ｄから断面半円状に湾曲して成形されている。折り目１４ｃの位置から第４の所定幅Ｌ４の位置までの部位は内側側部１２ｄであり、パチンコ機の外枠１において内側、かつ前方近傍に位置するようになる。また、内側側部１２ｄと隣接して短手方向に半円状に折り返された部位は前面部１２ｅである。なお、内側側部１２ｄは平坦であり、前面部１２ｅは、内側側部１２ｄとの境目１４ｄの位置から断面半円状に湾曲している。
【００３８】
断面半円状の前面部１２ｅから短手方向に平坦に延長する部位は外側側部１２ｆであり、湾曲した前面部１２ｅの湾曲部と平坦部との境目１４ｅの位置から第５の所定幅Ｌ５の位置で外面が山折りとなるように長手方向に沿って略直角に折り曲げられて成形されている。外側側部１２ｆはパチンコ機の外枠１において外側に位置するようになり、かつ縦枠材３の内側側部１２ｂ，１２ｄと並行になる。外側側部１２ｆと隣接して短手方向に略直角に延長して金属板１０の短手方向の他端１１ｂに達する部位には他端側縁部１２ｇが成形されている。他端側縁部１２ｇは、パチンコ機の外枠１において奧側に位置するようになる。
【００３９】
また、他端側縁部１２ｇにおいて、外側側部１２ｆとの折り目１４ｆの位置から第６の所定幅Ｌ６の位置に、長手方向に沿って金属板１０の厚み程度の段差１４ｇが設けられている。段差１４ｇから短手方向に延長する部位は金属板１０の厚み程度低く平坦である。
【００４０】
このように他端側縁部１２ｇは、長手方向に沿って段差１４ｇが設けられているが、段差１４ｇと短手方向の他端１１ｂとの間において、短手方向の他端１１ｂから所定幅Ｌ７の位置で長手方向に沿って内側に折り曲げられて先端にガイド部１５が成形されている。このガイド部１５は、後述する一端側縁部１２ａと他端側縁部１２ｇを重ね合わせる時に、一端側縁部１２ａの先端１１ａがガイド部１５に当接しないようにして他端側縁部１２ｇ上に円滑に重ね合わせできるように設けられたものである。
【００４１】
また、ガイド部１５に隣接して、段差１４ｇに達する段差下部位１２ｈには、一端側縁部１２ａに設けた複数の穴部１３の長手方向の位置に対応して段差１４ｇ側から長方形の扉開きとなるように、長手方向に間隔を設けて複数（図では５個）の長方形の切り起こしによる爪部１６が設けられている。爪部１６は、平行な上下の切り込みを段差１４ｇの側端部で縦に連続させてＵ字状に切り込まれた部位を設けておき、金属板１０を他端側縁部１２ｇの縁端から所定幅の位置において、長手方向に沿って内側に折り曲げて、ガイド部１５を成形することで、その先端部１６ａが起こされるので段差下部位１２ｈから斜めに突出するようになる。
【００４２】
以上の構成の縦枠材３は、パチンコ機の外枠１において奥側かつ内側に突出するようになる角筒部６を有する形状であって、図４に示すように係合前の状態において、金属板１０の短手方向両側に位置する各縁部１２ａ，１２ｇが開いて離間した状態である。縦枠材３は、各縁部１２ａ，１２ｇを閉じて、他端側縁部１２ｇの段差下部位１２ｈの外面上に一端側縁部１２ａを重ね合わせて、各縁部１２ａ，１２ｇのそれぞれに設けた各穴部１３と各爪部１６を係合し、金属板１０の一端側縁部１２ａの内面に他端側縁部１２ｇの段差下部位１２ｈの外面を当接させて両縁部１２ａ，１２ｇを結合して組み立てられる。
【００４３】
爪部１６と穴部１３が係合する場合、爪部１６は、穴部１３の周面に摺接して倒れた姿勢に弾性変形しながら穴部１３内に嵌入して先端部１６ａが起き上がり穴部１３の内面に当接した状態に維持されて穴部１３との係合が完了する。
【００４４】
この状態において、爪部１６は、穴部１３との係合において、先端部１６ａが穴部１３の内面に当接した状態に維持されて開き止めとなっている。また、爪部１６の上下に並行する端縁１６ｂ，１６ｃは、穴部１３の上下に並行する内端縁１３ｂ，１３ｃに当接して爪部１６と穴部１３との係合がなされて捻れ止めとなっており、縦枠材３に捻り変形が生じることがあっても係合部においてねじれが抑制され、縦枠材３は、穴部１３と爪部１６の係合が解除されにくいものである。
【００４５】
（参考例２）
前述した参考例１では、１枚の矩形の金属板１０を短手方向の一端１１ａから長手方向に沿って略直角に折り曲げて、内側側部１２ｄと外側側部１２ｆ間に所定間隔の隙間を設けて断面半円状の前面部１２ｅを成形するとともに、内側側部１２ｄと外側側部１２ｆを離間して並行配置するように成形した縦枠材３を説明した。参考例２では、１枚の矩形の金属板１０を長手方向に沿って折り曲げて、内側側部１２ｄと外側側部１２ｆを重ね合わせて、内側側部１２ｄと外側側部１２ｆ間に隙間が無いように成形する縦枠材３ａを説明する。
【００４６】
参考例２の縦枠材３ａについて図５及び図６を参照して説明する。図５及び図６において、内側側部１２ｂと隣接して短手方向に略直角に延長する部位は中間部１２ｃ１であり、内側側部１２ｂとの折り目１４ｂの位置から第８の所定幅Ｌ８の位置で谷折りとなるように略直角に折り曲げられて成形される。中間部１２ｃ１は縦枠材３ａにおいて、一端側縁部１２ａと並行になる。そして、中間部１２ｃ１と隣接して短手方向に略直角に延長する部位は内側側部１２ｄであり、中間部１２ｃ１との折り目１４ｃ１の位置から第４の所定幅Ｌ４の位置で外面が折り返されて重ねられて、折り目１４ｈとともに成形される。この折り目１４ｈの成形において、折り目１４ｈの位置から第５の所定幅Ｌ５の位置まで延長する位置に成形される外側側部１２ｆと前記内側側部１２ｄは、両者間に隙間が無いように２枚重ね部位１７として成形される。参考例２は参考例１と同様に、穴部１３と爪部１６の係合により両縁部１２ａ，１２ｇを結合して組み立てられ、パチンコ機の外枠１において奥側かつ内側に突出する角筒部６ａを有する形状の縦枠材３ａが完成する。
【００４７】
（参考例３）
参考例３は、参考例２と同様に１枚の矩形の金属板１０を短手方向の途中の第１位置で、長手方向に沿って折り重ねて２枚重ね部位が成形されている。そして、２枚重ね部位において、先端近傍の第２位置で長手方向に沿って略直角に折り曲げられて側部の先端に突縁が成形されている。また、矩形の金属板の短手方向両端の折り曲げ成形された一端側縁部と、他端側縁部は重ね合わされ、両端側縁部同士がかしめ接合されている。
【００４８】
図７は、参考例３の縦枠材を示す斜視図、図８は、図７の縦枠材のかしめ成形加工を説明する概略断面図、図９は、図７の平面図である。
【００４９】
以下、図７及び図８を参照して参考例３の縦枠材を説明する。縦枠材３ｂは、内側側部２２ａが１枚の矩形の金属板１０を短手方向の一端２１ａから前記第２の所定幅Ｌ２の位置で外面が山折りとなるように長手方向に沿って略直角に折り曲げられて成形されている。内側側部２２ａは、パチンコ機の外枠１において奧部、かつ内側に位置するようになる。内側側部２２ａと隣接して短手方向に略直角に延長する部位は中間部２２ｂであり、内側側部２２ａとの折り目２３ａの位置から第８の所定幅Ｌ８の位置で谷折りとなるように略直角に折り曲げられて成形されている。
【００５０】
また、中間部２２ｂと隣接して短手方向に略直角に延長する部位から、２枚重ね部位２４が成形されている。２枚重ね部位２４は、中間部２２ｂとの折り目２３ｂの位置から第９の所定幅Ｌ９の位置で折り返された折り曲げ位置２３ｃまでの間の部位をいう。この２枚重ね部位２４では、短手方向の先端から第１０所定幅Ｌ１０の第２位置で外面が山折りとなるように長手方向に沿って略直角に折り曲げられて、折り目２３ｄが成形される。この折り目２３ｄと谷折りの折り目２３ｂとの間を、２枚重ね部位２４における側部２２ｃとしている。折り目２３ｄから折り曲げ位置２３ｃまでの延長部分を、側部２２ｃに略直角な突縁２５としている。
【００５１】
また、２枚重ね部位２４における側部２２ｃの外側の部位は部位２２ｄであり、このうち折り目２３ｄから折り目２３ｂの位置までの側部２２ｃに対応した部位が２枚重ねとなっている。後部２２ｅは、部位２２ｄの折り目２３ｂに対応した位置から前記第２の所定幅Ｌ２の位置で外面が山折りとなるように長手方向に沿って略直角に折り曲げられて成形され、パチンコ機の外枠１において奧部に位置するようになる。そして、後部２２ｅと隣接して短手方向に略直角に延長する部位は他端側縁部２２ｆであり、後部２２ｅとの折り目２３ｅの位置から第８の所定幅Ｌ８の位置で山折りとなるように略直角に折り曲げられて成形されている。他端側縁部２２ｆはパチンコ機の外枠１において奧部、かつ内側に位置するようになる。参考例３では、一端側縁部２２ａと他端側縁部２２ｆを重ね合わせて、図８に示すようにポンチ３２を上方から押し込んでダイス３３との間で重なった両端側縁部同士２２ａ、２２ｆを変形させ、２枚の側縁部同士２２ａ、２２ｆをかしめ成形加工して２枚の側縁部同士２２ａ、２２ｆの接合部にかしめ３４を成形し、パチンコ機の外枠１において奥側かつ内側に突出する角筒部６ｂを有する形状の縦枠材３ｂが完成する。
【００５２】
この参考例３の場合、１枚の矩形の金属板１０を短手方向の途中の所定位置で、長手方向に沿って折り曲げて縦枠材３ｂの２枚重ね部位２４を成形し、この２枚重ね部位２４の先端には、折り曲げ成形されてなる突縁２５を設けている。そのため、パチンコホールの島に設けられている矩形状の取付枠に外枠を取付けた際に、突縁２５が取付枠の側部に弾性的に当接して取付枠の側部と外枠との間に隙間が生じないものである。また、２枚の側縁部同士２２ａ、２２ｆをかしめ成形加工して接合部にかしめ３４を成形したので、捩れが生じにくく強度がある。
【００５３】
上記した参考例１〜３、では、１枚の矩形の金属板の短手方向両端の折り曲げ成形された一端側縁部と他端側縁部とを重ね合わせ、両縁部が結合する部位が、パチンコ機の外枠１において後部や内側側部の位置となる例を説明したが、縦枠材に設けられた角筒部の１面を構成する外側側部において一端側縁部と他端側縁部とを重ね合わせて、両縁部を結合することもできる。
【００５４】
（実施例１）
パチンコ機の外枠を構成する縦枠材は、前枠が取り付けられると、前枠に装着されている遊技盤の重量が縦枠材にかかり、縦枠材を撓み変形させるような付勢を受ける。実施例１は、薄く成形した縦枠材が、撓み変形しないように、縦枠材に空隙部を設けたものである。実施例１は、参考例２，３と同様に１枚の矩形の金属板１０を短手方向の所定位置で、長手方向に沿って折り返し成形されてなる２枚重ね部位を設けて縦枠材を薄く形成したものである。
【００５５】
図１０は、実施例１の第１例の縦枠材を示す平面図、図１１は、図１０の第１例の縦枠材に短手方向のリブを追加した第２例の縦枠材を示す正面図、図１２は、図１１の縦枠材の平面図、図１３は、図１１の縦枠材のＣ−Ｃ断面図である。なお、以下の説明において、縦枠材の空隙部の外壁を構成する金属板において、外部に突出する個所はリブと称している。
【００５６】
図１０において、縦枠材３ｃは、一端側縁部４２ａが１枚の矩形の金属板１０を短手方向の一端４１ａから第１所定幅の位置で外面が山折りとなるように長手方向に沿って略直角に折り曲げられて成形されている。一端側縁部４２ａは、パチンコ機の外枠１において奧部、かつ内側に位置するようになる。そして、一端内側側部４２ａと隣接して短手方向に略直角に延長する部位は中間部４２ｂであり、一端側縁部４２ａとの折り目４３ａの位置から第２所定幅の位置で谷折りとなるように略直角に折り曲げられて成形されている。
【００５７】
また、中間部４２ｂと隣接して短手方向に略直角に延長する部位から、２枚重ね部位４４が成形される。２枚重ね部位４４は、中間部４２ｂとの折り目４３ｂの位置から第３所定幅の位置で短手方向に湾曲して折り返され、この折り返しの先端に成形される前面部４２ｃと、この前面部４２ｃの折り返し先端の位置から第４所定幅の位置で谷折りされて成形される折り目４３ｄとを有し、この折り目４３ｄと折り目４３ｂとの間に成形される。これにより、２枚重ね部位４４には、短手方向の先端部分に長手方向に沿った空隙部４５を有する突縁４５ａが設けられるようになる。また、金属板１０には、折り目４３ｄから第５所定幅の位置で山折りとなるように長手方向に沿って略直角に折り曲げられて、折り目４３ｅが成形される。
【００５８】
後部４２ｅは、折り目４３ｅから長手方向に沿って略直角に折り曲げられて成形され、パチンコ機の外枠１において奧部に位置するようになる。そして、後部４２ｅと隣接して短手方向に略直角に延長する部位は他端側縁部４２ｆであり、後部４２ｅとの折り目４３ｅの位置から第６の所定幅の位置で山折りに略直角に折り曲げられた折り目４３ｆとともに成形される。他端側縁部４２ｆは、パチンコ機の外枠１において奧部、かつ内側に位置するようになる。実施例１では、一端側縁部４２ａと他端側縁部４２ｆを重ね合わせて接合し、パチンコ機の外枠１において奥側かつ内側に突出する角筒部６ｃを形成して縦枠材３ｃが完成する。
【００５９】
第１例の縦枠材３ｃは、１枚の矩形の金属板１０を短手方向の所定幅の位置で長手方向に沿って短手方向に湾曲して折り返され、折り返しの先端に前面部が成形されている。そして、折り返し先端の近傍位置４３ｄを谷折りして折り返し先端に長手方向に沿うリブ４５ｂを成形し、谷折り位置４３ｄから金属板１０同士が重なり合うように成形して先端にリブ４５ｂによる突縁４５ａを設けて２枚重ね部位４４を成形したものである。そのため、第１例の縦枠材３ｃは、２枚重ね部位４４において、短手方向の端部に位置する突縁４５ａに空隙部４５が設けられ長手方向に撓み変形させないような強度を有する。
【００６０】
第１例の縦枠材３ｃは、外枠としてパチンコ機に組み付けられると、外枠に取り付けられた前枠５５が開閉される際に突縁４５ａに接触して擦れることがあっても、金属板１０が折り返されてなる先端の突縁４５ａが丸く湾曲して、バネ性及び円滑性を有しているので、前枠５５の開閉が容易になる。
【００６１】
また、第１例の縦枠材３ｃは、１枚の矩形の金属板１０を折り曲げ成形する前に、予め長手方向のリブ４５ｂを成形しておき、１枚の矩形の金属板１０を短手方向の折り返し位置（前面部４２ｃ）で、長手方向に沿って折り返すことで、長手方向のリブ４５ｂにより、２枚重ね部位４４において、長手方向の空隙部４５が成形されるようにしてもよい。この場合、金属板１０に予め長手方向のリブ４５ｂを成形したことで、先端近傍の位置４３ｄから金属板１０同士が重なり合って２枚重ね部位４４が成形されるので、先端近傍を位置４３ｄから谷折りする工程を省略することができる。
【００６２】
図１０〜図１３において、第２例の縦枠材３ｄは、１枚の矩形の金属板１０に予め長手方向のリブ４５ｂを成形するとともに長手方向のリブ４５ｂから短手方向に延びるリブ４６ｂを成形しておき、１枚の矩形の金属板１０を短手方向の折り返し位置（前面部４２ｃ）で、長手方向に沿って折り返すことで、長手方向のリブ４５ｂと短手方向のリブ４６ｂにより、２枚重ね部位４４において、長手方向の空隙部４５から短手方向に延びる複数の空隙部４６を、長手方向に所定の間隔を設けて成形している。第２例の縦枠材３ｄは、金属板１０の２枚重ね部位４４において、長手方向のリブ４５ｂと短手方向のリブ４６ｂを成形したので、長手方向及び短手方向に撓み変形しないような強度を有する。
【００６３】
第２例の縦枠材３ｃは、２枚重ね部位において、短手方向の端部に長手方向の空隙部４５を１つ設けたものであるが、長手方向の空隙部４５は、短手方向の端部から所定の間隔を有するように、例えば、中央部に設けても良い。また、長手方向の空隙部４５は、並行して複数成形してもよい。
【００６４】
図１４は、第３例の縦枠材の断面図、図１５は、第４例の縦枠材の正面図、図１６は、図１５のＤ−Ｄ断面図である。
【００６５】
図１４において、第３例の縦枠材３ｅは、１枚の矩形の金属板１０に予め断面が短手方向に連続する波形である長手方向のリブ４５ｃを複数成形しておき、１枚の矩形の金属板１０を短手方向の折り返し位置で、長手方向に沿って折り返すことで、複数の断面波形のリブ４５ｃにより、２枚重ね部位４４において、短手方向の断面が波形である長手方向の空隙部４５ｄを並行して複数成形している。なお、リブ４５ｃの波形は、例えば、三角波、矩形波、サイン波が適用できる。
【００６６】
図１５及び図１６において、第４例の縦枠材３ｆは、１枚の矩形の金属板１０に予め断面が短手方向に連続する矩形の波形である長手方向のリブ４５ｅを複数成形しておき、１枚の矩形の金属板１０を短手方向の折り返し位置（前面部４２ｃ）で、長手方向に沿って折り返すことで、複数のリブ４５ｅにより、２枚重ね部位４４において、短手方向の断面が矩形である長手方向の空隙部４５ｆを並行して複数成形している。そして、金属板１０の断面矩形の各底部４５ｇにおいて、金属板同士を重ね合わせて機械的に接合してかしめ４５ｈを成形し、金属板同士を面接触させるとともに、面接触の中央部をかしめ接合している。
【００６７】
前記第１例〜第４例の縦枠材以外にも、縦枠材の２枚重ね部位において、空隙部を成形する場合、長手方向の複数の空隙部と短手方向の複数の空隙部を交差するように成形してもよい。
【００６８】
（実施例２）
実施例２のパチンコ機の外枠は、略水平方向に延びる上下一対の横枠材と略鉛直方向に延びる左右一対の縦枠材からなり、全体として四角枠状に形成されている。縦枠材と横枠材の接合においては、縦枠材の長手方向端面を横枠材の長手方向端部の内面に当接して、縦枠材を横枠材と直角に配置し、略直角に折り曲げられた金属板から成る第１結合具を使用して結合する。さらに、４隅の内側にも略直角に折り曲げられた金属板から成る第２結合具を使用して結合させて強度を持たせたものである。
【００６９】
図１７は、実施例２のパチンコ機用外枠の要部を示す斜視図、図１８は、図１７において横枠材と結合した状態の斜視図、図１９は、図１８におけるパチンコ機用外枠を示す斜視図である。
【００７０】
実施例２は、前記した参考例１〜３および実施例１の縦枠材を適用できるので、以下の説明では、参考例１〜３および実施例１の縦枠材を総称して縦枠材３と称して説明する。また、パチンコ機用外枠において、左右の縦枠材３，３と上下の横枠材２ａ，２ｂの接合は、４隅で同様であるので、ここでは、左の縦枠材３と下部の横枠材２ｂとの接合について説明する。
【００７１】
まず、図１７に示すように、縦枠材３の長手方向の両端部（図１７では下端部）の外面に対し、２枚の固定板部７ａ，７ｂが所定の開き角度（図１７では略直角）で連なる第１結合具７を、一方の固定板部７ａを面接触させて固定するとともに、長手方向端部の内面に対し、２枚の固定板部５０ａ，５０ｂが所定の開き角度（図１７では略直角）で連なる第２結合具５０を、一方の固定板部５０ａを面接触させて固定する。続いて、縦枠材３の両端において、内面と外面にそれぞれ面接触させた第１結合具７と第２結合具５０を、機械的に接合してかしめ７ｃ，５０ｃを成形する。すなわち、第１結合具７と第２結合具５０は、それぞれかしめ接合により縦枠材３の内面と外面に固定されている。上述した、縦枠材３の内面と外面に第１結合具７と第２結合具５０を固定する場合、かしめ接合の代わりにネジで接合してもよい。図１７，１８の場合、第２結合具５０は、他方の固定板部５０ｂの短手方向の寸法が一方の固定板部５０ａの短手方向の寸法よりも大きく形成されて、固定板部５０ａ，５０ｂとの境目側に段差部が形成されている。他方の固定板部５０ｂは、段差部の内角部近傍から長手方向に所定の位置まで切り込まれており、この切り込みの端部で略直角に内側に折り曲げられて、一方の固定板部５０ａと並行に切り起こし片５１が成形されている。切り起こし片５１は、２枚の固定板部５０ｂ，５１ａが所定の開き角度（図１７では略直角）で連なり、内側に突出する角筒部６の内側の側面と面接触させて機械的に接合し、かしめ５１ａが成形されている。縦枠材３は、図１７に示すように、その両端において、第１結合具７と第２結合具５０が固定され、第１結合具７と第２結合具５０の各他方の固定板部７ｂ，５０ｂが、長手方向に直角な短手方向に突き出して設けられている。
【００７２】
図１８において、縦枠材３に対して横枠材２ｂは、長手方向の両端部に固定した１結合具７及び第２結合具５０の各他方の固定板部７ｂ，５０ｂ間に挟んで配置されることで、直角に配置される。そして、第１結合具７の他方の固定板部７ｂを横枠材２ｂの外面に面接触させて、また、第２結合具５０の他方の固定板部５０ｂを横枠材２ｂの内面に面接触させてネジＰにより固定する。これにより縦枠材３と横枠材２ｂは、直角に接合され、左右の縦枠材３，３と上下の横枠材２ａ，２ｂの組み合わせによる他の３隅を同様に結合すれば、図１９に示すようにパチンコ機の外枠が完成する。
【００７３】
実施例２の場合、縦枠材３の両端において、第１結合具７と第２結合具５０の各他方の固定板部７ｂ，５０ｂが、長手方向に直角な短手方向に突き出して並行に設けられているので、第１結合具７と第２結合具の固定板部７ｂ，５０ｂ間に横枠材２ｂを挟んで配置することで、縦枠材３に対して横枠材２ｂを容易に直角に配置することができる。また、２枚の固定板部が直角に連設する第１、第２結合具を使用して、パチンコ機の４隅にそれぞれの内側と外側を結合することによって、左右の縦枠材３，３と上下の横枠材２ａ，２ｂを、強固に結合できるものである。
【符号の説明】
【００７４】
１  パチンコ機の外枠
２ａ，２ｂ  横枠材
３，３ａ，３ｂ，３ｃ  縦枠材
４  前板部材
６，６ａ，６ｂ，６ｃ  角筒部
７  第１結合具
７ａ，５０ａ  一方の固定板部
７ｂ，５０ｂ  他方の固定板部
３４，４５ｈ，５０ｃ，５１ａ  かしめ
１０  金属板
１１ａ，２１ａ，４１ａ  一端
１１ｂ  他端
１２ａ，２２ａ，４２ａ  一端側縁部
１２ｂ，１２ｄ  内側側部
１２ｃ，１２ｃ１，２２ｂ，４２ｂ  中間部
１２ｅ，４２ｃ  前面部
１２ｆ  外側側部
１２ｇ，２２ｆ，４２ｆ  他端側縁部
１２ｈ  段差下部位
１３  穴部
１３ａ  先端側の内端面
１３ｂ，１３ｃ  内端面
１４ａ，１４ｂ，１４ｃ，１４ｃ１，１４ｆ，１４ｈ，２３ａ，２３ｂ，２３ｃ，２３ｄ，２３ｅ，４３ｂ，４３ｄ，４３ｅ，４３ｆ  折り目
１４ｄ，１４ｅ  境目
１４ｇ  段差
１６  爪部
１６ａ  先端部
１６ｂ，１６ｃ  端面
１７，２４，４４  ２枚重ね部位
２２ｃ  側部
２２ｄ  部位
２２ｅ，４２ｅ  後部
２３ｃ  折り曲げ位置
２５，４５ａ  突縁
３２  ポンチ
３３  ダイス
４５  空隙部
４５ｂ，４６ｂ，４５ｃ，４５ｄ  リブ
４５ｇ  底部
５０  第２結合具
５５  前枠
Ｐ  ネジ
【図１】
0004672064.tif 000002
【図２】
0004672064.tif 000003
【図３】
0004672064.tif 000004
【図４】
0004672064.tif 000005
【図５】
0004672064.tif 000006
【図６】
0004672064.tif 000007
【図７】
0004672064.tif 000008
【図８】
0004672064.tif 000009
【図９】
0004672064.tif 000010
【図１０】
0004672064.tif 000011
【図１１】
0004672064.tif 000012
【図１２】
0004672064.tif 000013
【図１３】
0004672064.tif 000014
【図１４】
0004672064.tif 000015
【図１５】
0004672064.tif 000016
【図１６】
0004672064.tif 000017
【図１７】
0004672064.tif 000018
【図１８】
0004672064.tif 000019
【図１９】
0004672064.tif 000020